(57)【特許請求の範囲】
【請求項１】
複数の原稿画像のレイアウトを行うレイアウトモードに基いた画像形成を行う場合に、１枚の記録紙の同一面上に所定ページ分の複数の原稿画像が所定の順序で配列される第１の画像形成を実行可能にし、且つ、二つ折りされる記録紙に原稿画像を印刷する製本印刷モードに基いた画像形成を行う場合に、前記二つ折りされる記録紙の同一面上の折り位置を基準とした左側の領域と右側の領域のそれぞれに１ページ分の原稿画像が夫々配列される第２の画像形成を実行可能にした画像処理装置であって、
前記レイアウトモードにおける原稿画像のレイアウトに関する設定を行う設定手段と、
前記レイアウトモードと前記製本印刷モードの両モードに基いた画像形成を実行させる要求を受け付ける受付手段と、
前記原稿画像における文字方向、前記原稿画像における原稿方向及び前記設定手段により設定された前記レイアウトに関する設定に基づいて、前記レイアウトモードと前記製本印刷モードの両モードに基づいた画像形成を実行する場合の製本の開き方を決定する決定手段と、
前記レイアウトモードと前記製本印刷モードの両モードに基いた画像形成を実行させる要求を前記受付手段により受け付けた場合に、前記決定手段により決定された前記製本の開き方に基づいて、前記二つ折りされる記録紙の同一面上の前記左側の領域と前記右側の領域のそれぞれに前記所定ページ分の複数の原稿画像を前記所定の順序で夫々配列される第３の画像形成を実行する制御手段と、
を有することを特徴とする画像処理装置。
【請求項２】
請求項１記載の画像処理装置であって、
前記第３の画像形成に先立ち、前記第３の画像形成に係る全ページの原稿画像を記憶手段に記憶させることを特徴とする画像処理装置。
【請求項３】
請求項１又は２記載の画像処理装置であって、
前記設定手段は、前記レイアウトに関する設定として、前記二つ折りされる記録紙の前記左側の領域と前記右側の領域の各領域における前記所定ページ分の複数の原稿画像の配列数を設定することを特徴とする画像処理装置。
【請求項４】
請求項１乃至３の何れか一項に記載の画像処理装置であって、
前記二つ折りされる記録紙の前記左側の領域と前記右側の領域の各領域における前記所定ページ分の複数の原稿画像の配列順序を、前記第３の画像形成に先立ち指定可能にすることを特徴とする画像処理装置。
【請求項５】
請求項１乃至４の何れか一項に記載の画像処理装置であって、
前記受付手段は、前記レイアウトモードと前記製本印刷モードの両モードに基いた画像形成を実行させる要求を、前記画像処理装置が具備するユーザインターフェース手段を介して受け付けることを特徴とする画像処理装置。
【請求項６】
複数の原稿画像のレイアウトを行うレイアウトモードに基いた画像形成を行う場合に、１枚の記録紙の同一面上に所定ページ分の複数の原稿画像が所定の順序で配列される第１の画像形成を実行可能にし、且つ、二つ折りされる記録紙に原稿画像を印刷する製本印刷モードに基いた画像形成を行う場合に、前記二つ折りされる記録紙の同一面上の折り位置を基準とした左側の領域と右側の領域のそれぞれに１ページ分の原稿画像が夫々配列される第２の画像形成を実行可能にした画像処理方法であって、
前記レイアウトモードにおける原稿画像のレイアウトに関する設定を行う設定ステップと、
前記レイアウトモードと前記製本印刷モードの両モードに基いた画像形成を実行させる要求を受け付ける受付ステップと、
前記原稿画像における文字方向、前記原稿画像における原稿方向及び前記設定ステップにおいて設定された前記レイアウトに関する設定に基づいて、前記レイアウトモードと前記製本印刷モードの両モードに基づいた画像形成を実行する場合の製本の開き方を決定する決定ステップと、
前記レイアウトモードと前記製本印刷モードの両モードに基いた画像形成を実行させる要求を前記受付ステップにおいて受け付けた場合に、前記決定ステップにおいて決定された前記製本の開き方に基づいて、前記二つ折りされる記録紙の同一面上の前記左側の領域と前記右側の領域のそれぞれに前記所定ページ分の複数の原稿画像を前記所定の順序で夫々配列される第３の画像形成を実行する制御ステップと、
を有することを特徴とする画像処理方法。
【請求項７】
複数の原稿画像のレイアウトを行うレイアウトモードに基いた画像形成を行う場合に、１枚の記録紙の同一面上に所定ページ分の複数の原稿画像が所定の順序で配列される第１の画像形成を実行可能にし、且つ、二つ折りされる記録紙に原稿画像を印刷する製本印刷モードに基いた画像形成を行う場合に、前記二つ折りされる記録紙の同一面上の折り位置を基準とした左側の領域と右側の領域のそれぞれに１ページ分の原稿画像が夫々配列される第２の画像形成を実行可能にしたプログラムであって、コンピュータを、
前記レイアウトモードにおける原稿画像のレイアウトに関する設定を行う設定手段、
前記レイアウトモードと前記製本印刷モードの両モードに基いた画像形成を実行させる要求を受け付ける受付手段、
前記原稿画像における文字方向、前記原稿画像における原稿方向及び前記設定手段により設定された前記レイアウトに関する設定に基づいて、前記レイアウトモードと前記製本印刷モードの両モードに基づいた画像形成を実行する場合の製本の開き方を決定する決定手段、並びに、
前記レイアウトモードと前記製本印刷モードの両モードに基いた画像形成を実行させる要求を前記受付手段により受け付けた場合に、前記決定手段により決定された前記製本の開き方に基づいて、前記二つ折りされる記録紙の同一面上の前記左側の領域と前記右側の領域のそれぞれに前記所定ページ分の複数の原稿画像を前記所定の順序で夫々配列される第３の画像形成を実行する制御手段、
として機能させることを特徴とするプログラム。
【発明の詳細な説明】
【０００１】
【発明の属する技術分野】
本発明は画像処理装置および方法、並びにプログラムに関し、特に、記録用紙を重ねて中央より折り返して製本したときにページ順になるような形で原稿画像をレイアウトして出力する製本レイアウト機能と複数枚の原稿を原稿枚数よりも少ない記録用紙の上にレイアウトして出力する機能を有する複写機等の画像処理装置および画像処理方法、並びにプログラムに関する。
【０００２】
【従来の技術】
従来、コピー対象の複数の原稿画像を読み取って、それらの原稿画像データをハードディスク等のメモリに一旦記憶し、そのメモリから任意の原稿画像データを繰り返し読み出してプリント出力する電子ソート機能を備えたデシタル複写機が知られている。
【０００３】
また、この電子ソート機能を利用して製本レイアウトを実現したデジタル複写機も知られている。ここで、製本レイアウト機能とは、記録用紙を重ねて中央で折り返した（２つ折りした）ときにページ順になるような形で、記録用紙の表裏にそれぞれ原稿画像をレイアウトしてプリントする機能である。この製本レイアウト機能を利用することにより、左開き、または右開きの製本を行なうことが可能となる。
【０００４】
さらに、１枚の記録用紙の上に複数の原稿画像を配置してプリントする縮小レイアウト機能を実現したデジタル複写機も知られている。
【０００５】
【発明が解決しようとする課題】
しかしながら、上述した製本レイアウト機能と縮小レイアウト機能を組み合わせて、製本出力される冊子の各ページに複数の原稿画像が入力順に従って配置されるようなレイアウトを行ってプリント出力することは出来なかった。
【０００６】
本発明は、このような背景の下になされたもので、その目的は、製本レイアウト機能により製本出力される冊子の各ページに複数の原稿画像が入力順に従って配置されて出力さるようなレイアウトを可能にする画像処理装置および画像処理方法、並びにプログラムを提供することにある。
【０００７】
【課題を解決するための手段】
上記の目的を達成するために本発明装置は、複数の原稿画像のレイアウトを行うレイアウトモードに基いた画像形成を行う場合に、１枚の記録紙の同一面上に所定ページ分の複数の原稿画像が所定の順序で配列される第１の画像形成を実行可能にし、且つ、二つ折りされる記録紙に原稿画像を印刷する製本印刷モードに基いた画像形成を行う場合に、前記二つ折りされる記録紙の同一面上の折り位置を基準とした左側の領域と右側の領域のそれぞれに１ページ分の原稿画像が夫々配列される第２の画像形成を実行可能にした画像処理装置であって、前記レイアウトモードにおける原稿画像のレイアウトに関する設定を行う設定手段と、前記レイアウトモードと前記製本印刷モードの両モードに基いた画像形成を実行させる要求を受け付ける受付手段と、前記原稿画像における文字方向、前記原稿画像における原稿方向及び前記設定手段により設定された前記レイアウトに関する設定に基づいて、前記レイアウトモードと前記製本印刷モードの両モードに基づいた画像形成を実行する場合の製本の開き方を決定する決定手段と、前記レイアウトモードと前記製本印刷モードの両モードに基いた画像形成を実行させる要求を前記受付手段により受け付けた場合に、前記決定手段により決定された前記製本の開き方に基づいて、前記二つ折りされる記録紙の同一面上の前記左側の領域と前記右側の領域のそれぞれに前記所定ページ分の複数の原稿画像を前記所定の順序で夫々配列される第３の画像形成を実行する制御手段と、を有することを特徴とする。
【０００８】
上記本発明装置において、前記第３の画像形成に先立ち、前記第３の画像形成に係る全ページの原稿画像を記憶手段に記憶させることができる。
【０００９】
上記本発明装置において、前記設定手段は、前記レイアウトに関する設定として、前記二つ折りされる記録紙の前記左側の領域と前記右側の領域の各領域における前記所定ページ分の複数の原稿画像の配列数を設定することができる。
【００１０】
上記本発明装置において、前記二つ折りされる記録紙の前記左側の領域と前記右側の領域の各領域における前記所定ページ分の複数の原稿画像の配列順序を、前記第３の画像形成に先立ち指定可能にすることができる。
【００１１】
上記本発明装置において、前記受付手段は、前記レイアウトモードと前記製本印刷モードの両モードに基いた画像形成を実行させる要求を、前記画像処理装置が具備するユーザインターフェース手段を介して受け付けることができる。
【００１２】
上記の目的を達成するために本発明方法は、複数の原稿画像のレイアウトを行うレイアウトモードに基いた画像形成を行う場合に、１枚の記録紙の同一面上に所定ページ分の複数の原稿画像が所定の順序で配列される第１の画像形成を実行可能にし、且つ、二つ折りされる記録紙に原稿画像を印刷する製本印刷モードに基いた画像形成を行う場合に、前記二つ折りされる記録紙の同一面上の折り位置を基準とした左側の領域と右側の領域のそれぞれに１ページ分の原稿画像が夫々配列される第２の画像形成を実行可能にした画像処理方法であって、前記レイアウトモードにおける原稿画像のレイアウトに関する設定を行う設定ステップと、前記レイアウトモードと前記製本印刷モードの両モードに基いた画像形成を実行させる要求を受け付ける受付ステップと、前記原稿画像における文字方向、前記原稿画像における原稿方向及び前記設定ステップにおいて設定された前記レイアウトに関する設定に基づいて、前記レイアウトモードと前記製本印刷モードの両モードに基づいた画像形成を実行する場合の製本の開き方を決定する決定ステップと、前記レイアウトモードと前記製本印刷モードの両モードに基いた画像形成を実行させる要求を前記受付ステップにおいて受け付けた場合に、前記決定ステップにおいて決定された前記製本の開き方に基づいて、前記二つ折りされる記録紙の同一面上の前記左側の領域と前記右側の領域のそれぞれに前記所定ページ分の複数の原稿画像を前記所定の順序で夫々配列される第３の画像形成を実行する制御ステップと、を有することを特徴とする。
【００１３】
上記の目的を達成するために本発明プログラムは、複数の原稿画像のレイアウトを行うレイアウトモードに基いた画像形成を行う場合に、１枚の記録紙の同一面上に所定ページ分の複数の原稿画像が所定の順序で配列される第１の画像形成を実行可能にし、且つ、二つ折りされる記録紙に原稿画像を印刷する製本印刷モードに基いた画像形成を行う場合に、前記二つ折りされる記録紙の同一面上の折り位置を基準とした左側の領域と右側の領域のそれぞれに１ページ分の原稿画像が夫々配列される第２の画像形成を実行可能にしたプログラムであって、コンピュータを、前記レイアウトモードにおける原稿画像のレイアウトに関する設定を行う設定手段、前記レイアウトモードと前記製本印刷モードの両モードに基いた画像形成を実行させる要求を受け付ける受付手段、前記原稿画像における文字方向、前記原稿画像における原稿方向及び前記設定手段により設定された前記レイアウトに関する設定に基づいて、前記レイアウトモードと前記製本印刷モードの両モードに基づいた画像形成を実行する場合の製本の開き方を決定する決定手段、並びに、前記レイアウトモードと前記製本印刷モードの両モードに基いた画像形成を実行させる要求を前記受付手段により受け付けた場合に、前記決定手段により決定された前記製本の開き方に基づいて、前記二つ折りされる記録紙の同一面上の前記左側の領域と前記右側の領域のそれぞれに前記所定ページ分の複数の原稿画像を前記所定の順序で夫々配列される第３の画像形成を実行する制御手段、として機能させることを特徴とする。
【００４７】
【発明の実施形態】
（第１実施形態）
図１は本発明に係る画像処理装置（複写機）の第１実施形態の制御構成を示すブロック図である。
【００４８】
図１において、リーダ部１は原稿の画像を読み取り、原稿画像に応じた画像データを画像入出力制御部３へ出力する。プリンタ部２は画像入出力制御部３からの画像データに応じた画像を記録紙上に記録する。画像入出力制御部３は、リーダ部１およびプリンタ部２に接続されており、ファクシミリ部４、ファイル部５、外部記憶装置６、インターフェイス部７、フォーマッタ部８、画像メモリ部９、コア部１０等から構成される。
【００４９】
ファクシミリ部４は、電話回線を介して受信した圧縮画像データを伸張し、該伸張された画像データをコア部１０へ転送し、またコア部１０から転送された画像データを圧縮し、電話回線を介して該圧縮画像データを送信する。なお、送受信する画像データをファイル部５に接続された外部記憶装置６に一時的に保存することができる。
【００５０】
ファィル部５は、外部記憶装置６が接続され、コア部１０から転送された画像データを圧縮し、外部記憶装置６に記憶する。また、ファイル部５はコア部１０を介して搬送されたコードデータに基づいて外部記憶装置６に記憶されている圧縮画像データを検索し、検索された圧縮画像データを読み出して伸張し、該伸張された画像データをコア部１０へ転送する。
【００５１】
インターフェイス部７は、コンピュータ１１、プリンタサーバ１２とコア部１０の間のインターフェイスであり、コンピュータ１２と１対１で接続するためのインターフェイスと、ネットワークに接続するインターフェイスの２種類がある。
【００５２】
フォーマッタ部８は、コンピュータ１１から転送された画像を表すコードデータ（ＰＤＬデータ）をプリンタ部２で記録できる画像データに変換して展開するものである。
【００５３】
画像メモリ部９は、リーダ部１からの情報や、インターフェイス部７を介しコンピュータ１１等から送られてきた情報を一時的に蓄積しておくためのものである。画像メモリ部９は、後述の画像処理部に設けられる。
【００５４】
コア部１０は、リーダ部１、プリンタ部２、ファクシミリ部４、ファイル部５、インターフェイス部７、フォーマッタ部８、および画像メモリ部９間のデータの流れを制御するものである。
【００５５】
図２は、本発明に係る画像処理装置（複写機）の第１実施形態の構成を説明する断面図である。
【００５６】
図２において、１０１は原稿給送装置で、原稿を１枚ずつ順番に原稿台ガラス面１０２上へ給送して、原稿の読み取り動作終了後に原稿台ガラス面１０２上の原稿を排出するものである。原稿が原稿台ガラス面１０２の所定位置へ搬送されると、スキャナ部のランプ１０３が点灯、かつスキャナユニット１０４が移動して原稿を照射する。
【００５７】
この時の原稿からの反射光は、ミラー１０５，１０６，１０７およびレンズ１０８によってＣＣＤイメージセンサ部（以下、ＣＣＤと表記）１０９へ入力される。ＣＣＤ１０９に照射された原稿の反射光は、ここで電気信号に変換される。変換された電気信号には、画像処理部（不図示）において各種の画像処理が施され、処理された信号は画像メモリ部９に蓄えられる。
【００５８】
画像メモリ部９は、１つの画像レイアウトメモリと、必要な画像データを全て蓄えることが可能な容量を有する画像メモリとを含む。この画像メモリには、ハードディスク装置、ＭＯディスク装置、ＣＤ−ＲＷ装置等の各種記憶装置を使用することもできる。この画像メモリに一旦記憶された個々の画像データを読み出し、各種画像処理を施し、画像レイアウトメモリの所望の位置に展開して書き込むことによって、別々の原稿画像を画像レイアウトメモリ上で合成することができる。また、画像メモリ部９の画像メモリへ蓄積する画像には、必要に応じて周知の画像データ圧縮を行っても良い。
【００５９】
画像処理部の画像メモリ部９からプリンタ部２へ供給された電気信号は、露光制御部２０１において変調された光信号に変換され、この光信号を感光体２０２に照射する。この照射光によって感光体２０２上に作られた潜像は、現像器２０３によって現像される。上記現像像の先端とタイミングを合わせて記録用紙積載部２０４、もしくは２０５より記録用紙が搬送され、転写部２０６において、上記現像された像が記録用紙に転写される。転写された像は定着部２０７において記録用紙に定着された後、排紙ローラ２０８によって装置外部に排出される。
【００６０】
また、両面記録が設定されている場合は、排出ローラ２０８のところまで記録用紙を搬送した後に排出ローラ２０８の回転方向を逆転させ、フラッパ２０９の向きを切り替えることにより、記録紙を再給紙搬送路２１０へと導く。再給紙搬送路２１０へ導かれた記録紙は、上述したタイミングで再び転写部２０６へ給紙され、両面記録が行われる。
【００６１】
排紙ローラ２０８により排出された記録用紙は、排出処理部２２０内に導入される。本体から排出処理部２２０にステイプル信号を入力している場合は、導入された記録用紙は、排出処理部２２０内でステイプル単位で蓄積された後にステイプルされ、所定のステイプルトレイ２２１に排出される。また製本信号が入力されている場合は、排出処理部２２０内にステッチ単位で記録用紙を蓄積した後に、記録用紙の中央ライン上の２箇所を綴じ、中央ラインを折り返して製本し、ステッチトレイ２２１に排出される。
【００６２】
このような一般的な手法で製本された記録用紙の状態について、図３を参照して説明する。図３に示す製本状態の例は、記録用紙３１〜３３の両面に画像形成され、これら３枚の記録用紙３１〜３３を整合し、各記録用紙中央部の２箇所をステイプル、半折りにしたものである。各々の記録用紙に４ページ相当の原稿画像が形成され、図３の例では１２ページの原稿画像が形成されている。図中、１〜１２の数字はページ番号であり、１ページにつき１つの原稿画像が形成されている。
【００６３】
図４は、リーダ部１における操作パネルの構成図である。
【００６４】
４０１は電源スイッチであり、本体への通電を制御する。４０２はコピーモードＡキーであり、複数の機能の中からコピーモードＡを選択するときに使用する。４０３はコピーモードＢキーであり、複数の機能の中からコピーモードＢを選択するときに使用する。コピーモードＡとコピーモードＢは各々同じコピー機能のモードであるが、片方のコピーのスキャナ読み込みが終了している場合は次のコピーの入力読み込みを行えるため、敢えてユーザに分かりやすくするために二つのコピーモードに分けている。
【００６５】
４０４はメールボックスキーであり、複数の機能の中からメールボックスモードを選択するときに使用する。メールボックスモードとは、ユーザ個人や部署毎に複写機内のメモリに記憶領域を持ち、その領域にＰＤＬデータやスキャン画像を入れておき、好きなときに出力する機能である。４０５は拡張キーであり、ＰＤＬデータに対する操作を行うときに使用する。
【００６６】
４０６はスタートキーであり、コピーの開始を指示するときに用いる。４０７はストップキーであり、コピーを中断したり、中止したりするときに用いる。４０８はテンキーであり、数値の入力を行うときに使用する。４０９はＬＣＤタッチパネルであり、液晶画面とタッチセンサの組合せで構成される。ＬＣＤタッチパネル４０９にはモード毎に個別の設定画面が表示され、さらに、ＬＣＤタッチパネル４０９に表示されたキーに触れることで、各種の詳細な設定を行うことができる。
【００６７】
図５を参照して、製本レイアウトモードと縮小レイアウトを組み合わせた本実施形態におけるレイアウト設定のための手順について説明する。
【００６８】
コピーモードＡまたはコピーモードＢにおいて、製本処理を行うモードを選択したとき、ＬＣＤタッチパネル４０９には図５（Ａ）の画面が表示される。ここで縮小レイアウトキー５０を押下することにより、製本出力される冊子の各ページに複数の原稿画像を配置するための設定画面が表示される（図５（Ｂ））。ここで、縮小レイアウトの種類を選択して反転表示させ、「ＯＫ」キー５２を押下すると、レイアウトの種類の情報が設定され、図５（Ａ）の画面に戻る。
【００６９】
また、図５（Ｂ）において「詳細設定」キー５４を押下すると、レイアウトの順番を選択するための画面が表示される。
【００７０】
図５（Ｃ）は、縮小レイアウトの種類を４ｉｎ１もしくは８ｉｎ１と設定した場合のレイアウトの順番の設定画面例である。この“ｎ”ｉｎ１という表現は、製本終了時点の１ページに“ｎ”個の画像をレイアウトすることを意味する。レイアウトの順番は、ジグザグ状の矢印で示されている。図５（Ｃ）の選択ボタン５６によって原稿画像のレイアウト順を選択して反転表示させ、「閉じる」キー５８を押下すると、レイアウトの種類とレイアウト順の情報が設定され、図５（Ｂ）の設定画面に戻る。
【００７１】
以上説明した操作に従って、製本状態で出力を行い、製本出力される冊子の各ページに複数の原稿画像を配置してプリントするための情報を設定することができる。
【００７２】
図６は、製本モードにおいて縮小レイアウトを指定してコピーを開始した際の、第１実施形態における画像形成レイアウト処理時の流れを示すフローチャートである。
【００７３】
図６に示すステップＳ６０１では、画像形成するモードとして製本レイアウトモードが指定され、かつ縮小レイウトモードが指定されているかどうかを判断する。製本レイアウトモードと縮小レイアウトモードが同時に指定されていない、従来例のような通常の画像レイアウトシーケンスを実行する（Ｓ１０１）。一方、ステップＳ６０１において製本レイアウトモードかつ縮小レイアウトモードが設定されている場合はステップ６０２以降へ進む。
【００７４】
ステップＳ６０２では、原稿給送装置１０１に上向き（フェイスアップ）に置かれた原稿を上から順に原稿台ガラス面１０２に搬送して、ＣＣＤ１０９により、装置上部に設けた操作部（図示せず）で指定された縮小レイアウトの設定に従って縮小して原稿画像を読み込み、画像メモリ部９内の画像メモリにレイアウトしながら順番に記憶していく。このとき同時に、画像メモリに記憶するとともに該画像メモリに格納した画像枚数Ｍをカウントする。原稿給送装置１０１上の全ての原稿画像を縮小レイアウトして画像メモリに全て記憶し終わると、ステップＳ６０３に移行する。
【００７５】
ステップＳ６０３では、記憶した画像のプリントに必要な記録用紙枚数Ｐを式［数１］により計算する。
【００７６】
【数１】
Ｐ＝（Ｍ＋３）／４の商の整数部          （１）
【００７７】
記録用紙枚数Ｐを算出するとステップＳ６０４において、画像読み出し順を示す画像処理テーブルを作成する。
【００７８】
図７はステップＳ６０４における画像処理テーブルの作成手順を示すフローチャートである。
【００７９】
まず、ステップＳ７０１においてカウンタ値ｉを０に設定し、カウンタ値Ｐｕｐとカウンタ値ＰｄｏｗｎをステップＳ６０３で求めた記録用紙枚数Ｐに初期化し、ステップＳ７０２に移行する。
【００８０】
ステップＳ７０２では、原稿画像における文字方向と記録用紙方向と縮小レイアウトの種類から、図８に示すテーブルを参照して製本レイアウトの種類（左開きまたは右開き？）を判定する。ステップＳ７０２において製本レイアウトの種類が左開きと判定された場合は、ステップＳ７０３へ移行する。
【００８１】
ステップＳ７０３ではカウンタ値ｉと記録用紙枚数Ｐの値の大小を比較し（ｉ＜Ｐ？）、比較結果が偽（ｉ≧Ｐ）の場合は処理を終了し、真（ｉ＜Ｐ）の場合はステップＳ７０４以降へ進む。
【００８２】
ステップＳ７０４では式［数２］に従って計算を行い、算出した値を、画像読み出し順を示す画像処理テーブルに書き込む。
【００８３】
【数２】
（１面目左側）＝２×Ｐdown
（１面目右側）＝２×Ｐｕｐ＋１
（２面目左側）＝２×Ｐｕｐ＋２
（２面目右側）＝２×Ｐdown−１
【００８４】
続いてカウンタ値ｉを１インクリメントし、カウンタ値Ｐｕｐを１インクリメントし、カウンタ値Ｐｄｏｗｎを１デクリメントして（ステップＳ７０５）、再びステップＳ７０３の処理に戻る。ステップＳ７０３における比較演算結果が偽になるまで上記処理Ｓ７０３〜Ｓ７０５を繰り返して画像処理テーブルを作成する。
【００８５】
図９は上記手順に従い作成した画像処理テーブルの例を示す説明図である。
【００８６】
図９は、左開き、原稿画像Ｍ＝８，∴Ｐ＝２の例を示し、２枚の記録用紙に式［数２］に従って計算した画像順序でレイアウトされることを示している。
【００８７】
図６に戻って、ステップＳ６０４の画像処理テーブル作成処理が終了すると、画像メモリに記憶されている各画像を読み出し、読み出した各画像を該画像処理テーブルの記載順に従って画像レイアウトメモリにレイアウトする（ステップＳ６０５の１面目レイアウト）。ステップＳ６０５においてレイアウト処理が完了するとステップＳ６０６へ移行し、プリント部２において、レイアウト完了した画像レイアウトメモリの画像をプリントする。
【００８８】
次に、ステップＳ６０５と同様に画像処理テーブルを参照し、次の面に配置すべき画像を画像メモリから読み出して画像レイアウトメモリに展開して（ステップＳ６０７の２面目レイアウト）、ステップＳ６０６でプリントした記録用紙の裏面に、画像レイアウトメモリに展開（レイアウト）した次の画像を同様にプリントする（ステップＳ６０８の２面目レイアウト）。そして、両面にプリントを終了した記録用紙を排紙処理部２２０内のスタック部（図示せず）に蓄える。
【００８９】
図１０は、４ｉｎ１、左開き、原稿枚数３２枚（スキャンした原稿画像が３２）という条件でプリントしたときの、１枚目の記録用紙１００の表裏面におけるレイアウト例を示す図である。図中、９〜２４の数字は原稿画像に対応する番号である。記録用紙１００中央部の余白１０１，１０２は綴じ代である。
【００９０】
両面プリントが１枚終了すると続くステップＳ６０９において、ステップＳ６０５〜ステップＳ６０８を記録用紙枚数Ｐの回数だけ処理したか否か判別する。ステップＳ６０９においてまだＰ回処理を行っていないと判断した場合はステップＳ６０５へ戻り、別の記録用紙に同様のレイアウトおよびプリント処理を行う。
【００９１】
一方、ステップＳ６０９においてＰ回処理を行ったと判断した場合は、ステップＳ６１０へ移行する。図１０に示した例ではステップＳ６０５〜ステップＳ６０９のループ処理を２回実行し、２回目の処理で、残りの原稿画像のレイアウト、および２枚目の記録用紙への両面プリントが行われる。両面プリントされた記録用紙は、排紙処理部２２０のスタック部にスタックされる。
【００９２】
ステップＳ６１０では製本処理を実行する。すなわち、スタック部にスタックされた記録用紙の中央をステイプルし、半折してステッチトレイ２２１ヘ排出する。続いてステップＳ６１１へ移行し、操作部で指定されたプリント部数分だけステップＳ６０５〜ステップＳ６１０の処理を完了したか否かを判別する。指定のプリント部数を終了していない場合はステップＳ６０５へ戻り、ステップＳ６０５〜ステップＳ６１１を同様に繰り返す。ステップＳ６１１において指定部数のプリントを終了した場合は、処理を終了する。
【００９３】
なお、図７中のステップＳ７０２において右開きと判定された場合は、ステップＳ７７３以降の右開きレイアウト製本処理へ移行する。
【００９４】
右開きレイアウト製本処理では、ステップＳ７０４で使用した式［数２］を式［数３］に置き換えた処理を行うステップＳ７７４のみが左開きの場合と異なり、ステップＳ７７３は左開きの場合のステップＳ７０３と同様であり、ステップＳ７７５は左開きの場合のステップＳ７０５と同様である。
【００９５】
【数３】
（１面目左側）＝２×Ｐｕｐ＋１
（１面目右側）＝２×Ｐdown
（２面目左側）＝２×Ｐdown−１
（２面目右側）＝２×Ｐｕｐ＋２
【００９６】
このような処理を行う本実施形態によれば、記録用紙を重ねて半折り（２つ折り）にした時の各ページに複数枚の原稿を原稿ページ順に配置してプリントし、ステイプルして製本することが可能となる。図１１は製本された例を示す図であり、４ｉｎ１、左開き、原稿枚数３２枚という条件での製本結果を表す。記録用紙１００と記録用紙１０５が針１１１，１１２によって綴じられている。
【００９７】
（他の実施形態）
なお、上記第１実施形態においては、縮小レイアウトと製本レイアウトを組み合わせたレイアウトを行い、プリンタ部２によって記録用紙上にプリントする例について説明したが、本発明はこの形態に限られるのではない。例えば、上記処理によってレイアウトを行った画像データをインターフェイス部７を介し外部に出力することも可能であり、外部に接続されているプリンタ装置（図示せず）に対して画像データを送り、このプリンタ装置によってプリントすることも可能である。
【００９８】
同様に、上記処理によってレイアウト処理した画像データを外部記憶装置６に送って格納することも可能である。
【００９９】
また、原稿画像の入力に関しても同様で、上記第１実施形態ではリーダ部１から読み込まれた画像データを一旦記憶してレイアウトを行う例について説明したが、本発明はこれに限られるものではない。例えば、コンピュータ１１またはプリンタサーバ１２からインターフェイス部７を介して送られてきたＰＤＬデータをフォーマッタ部８で可視画像に変換した画像データに対して、上述と同様の処理によりレイアウト処理を行って所望の出力先に出力することも可能である。
【０１００】
なお、この場合、原稿画像の文字方向、原稿の用紙方向、縮小レイアウトの種類、ページの配置方法の設定は、操作部によってユーザ設定する上記形態に限られるものではない。例えば、ＰＤＬデータを作成したときにコンピュータ１１またはプリンタサーバ１２上で設定した情報をインターフェイス部７を介して受けて、これに従って上記各種設定情報を設定しても良い。
【０１０１】
同様に、外部記憶装置６に記憶されている縮小レイアウトされた画像データに対して上述と同様の処理を行うことによって、製本出力される冊子の各ページに複数の原稿が配置されるような形態で、所望の出力先にプリントデータを出力することも可能である。
【０１０２】
また、上記第１実施形態および他の実施形態では、原稿の用紙方向、原稿画像の文字方向の設定について、操作部もしくはインターフェイス部７を介して送られてくる情報を利用して行ったが、原稿画像に対してＯＣＲ等で文字認識するなどしてこれらを自動判別することもできる。さらに、上記第１実施形態では、記録用紙の向き、原稿画像の文字方向、縮小レイアウト種類の情報から製本レイアウトの種類をテーブルを参照することで自動判別しているが、ユーザが操作部で製本レイアウト種類を設定するようにすることもできる。
【０１０３】
また、上記第１実施形態では、製本レイアウトを行うために画像処理テーブルを作成しているが、画像処理テーブルを作成せずに、適宜計算を行いながらプリントするようにしても良い。
【０１０４】
また、上記第１実施形態では入力時に縮小レイアウト処理を行っているが、製本レイアウト処理でページレイアウトを行う際に縮小レイアウト処理を同時に行うようにしても良い。
【０１０５】
さらに、本発明は上述のように、複数の機器（たとえばホストコンピュータ、インタフェース機器、リーダ、プリンタ等）から構成されるシステムに適用しても一つの機器（たとえば複写機、ファクシミリ装置）からなる装置に適用してもよい。
【０１０６】
また、前述した実施形態の機能を実現するように各種のデバイスを動作させるように該各種デバイスと接続された装置あるいはシステム内のコンピュータに、前記実施形態機能を実現するためのソフトウェアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【０１０７】
またこの場合、前記ソフトウェアのプログラムコード自体が前述した実施形態の機能を実現することになり、そのプログラムコード自体、およびそのプログラムコードをコンピュータに供給するための手段、例えばかかるプログラムコードを格納した記憶媒体は本発明を構成する。
【０１０８】
かかるプログラムコードを格納する記憶媒体としては例えばフロッピーディスク、ハードディスク、光ディスク、光磁気ディスク、ＣＤ−ＲＯＭ、磁気テープ、不揮発性のメモリカード、ＲＯＭ等を用いることができる。
【０１０９】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【０１１０】
さらに供給されたプログラムコード（プログラムプロダクツ）が、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれることは言うまでもない。
【０１１１】
【発明の効果】
以説明したように本発明によれば、原稿画像における文字方向、原稿画像における原稿方向及びレイアウトモードにおける原稿画像のレイアウトに関する設定に基づいて決定された製本の開き方に基づいて、二つ折りされる記録紙の同一面上の左側の領域と右側の領域のそれぞれに所定ページ分の複数の原稿画像を所定の順序で夫々配列される第３の画像形成を実行することが可能となる。
【図面の簡単な説明】
【図１】本発明に係る画像処理装置（複写機）の第１実施形態の制御構成を示すブロック図である
【図２】本発明に係る画像処理装置の第１実施形態の構成を説明する断面図である。
【図３】従来の製本処理された記録用紙を示す説明図である。
【図４】本発明に係る画像処理装置の第１実施形態における操作パネルの構成を示す図である。
【図５】本発明に係る画像処理装置の第１実施形態において製本レイアウトと縮小レイアウトを組み合わせたレイアウトを行うための設定手順を示す説明図である。
【図６】本発明に係る第１実施形態のフローチャートである。
【図７】図６における画像処理テーブル作成処理の手順を示すフローチャートである。
【図８】本発明に係る第１実施形態製における本レイアウトの種類判定テーブルを示す説明図である。
【図９】本発明に係る第１実施形態製における画像処理テーブルの例を示す説明図である。
【図１０】図９のテーブルを参照してプリントした１枚目の記録用紙のレイアウトの例を示す説明図である。
【図１１】本発明に係る第１実施形態製において縮小レイアウトと製本レイアウトを組み合わせたレイアウト処理された記録用紙を示す説明図である。
【符号の説明】
１  リーダ部
２  プリンタ部
３  画像入出力制御部
４  ファクシミリ部
５  ファイル部
６  外部記憶装置
７  インターフェイス部
８  フォーマッタ部
９  画像メモリ部
１０  コア部
１１  コンピュータ
１２  プリンタサーバ
１０１  原稿給送装置
１０２  原稿台ガラス面
１０３  ランプ
１０４  スキャナユニット
１０９  ＣＣＤイメージセンサ部
２０１  露光制御部
２０２  感光体
【図１】
0004261732.tif 000002
【図２】
0004261732.tif 000003
【図３】
0004261732.tif 000004
【図４】
0004261732.tif 000005
【図５】
0004261732.tif 000006
【図６】
0004261732.tif 000007
【図７】
0004261732.tif 000008
【図８】
0004261732.tif 000009
【図９】
0004261732.tif 000010
【図１０】
0004261732.tif 000011
【図１１】
0004261732.tif 000012